(57)【要約】      （修正有）【課題】筆圧感度を調整しやすく、書き心地を向上させる電磁ペンを提供する。【解決手段】電磁ペン１００は、リフィル２０と、圧力感知アセンブリ３４と、第１調節部品３２と、第２調節部品３３と、を備える。第２調節部品３３は、第１調節部品３２に対して調整可能であり、圧力感知アセンブリ３４は、リフィル２０の端部に近接し、且つ第２調節部品３３に固定されて、第２調節部品３３と同期して移動する。圧力感知アセンブリ３４とリフィル２０の端部との間の圧力値は、第１調節部品３２と第２調節部品３３との相対的な位置調整によって同期して調整される。第１調節部品３２と第２調節部品３３の間のねじの嵌合調整によって、リフィル２０と圧力感知アセンブリ３４との間の圧力調整を行なう。【選択図】図３
0003234469.tif 000002
【実用新案登録請求の範囲】
【請求項１】
リフィルと、前記リフィルの一端に近接する圧力感知アセンブリと、を備える電磁ペンであって、
前記電磁ペンは、第１調節部品と、第２調節部品とをさらに備え、
前記リフィルは、前記第１調節部品を貫通し、前記第２調節部品は、前記第１調節部品に対して調整可能であり、
前記圧力感知アセンブリは、前記第２調節部品に固定され、且つ前記第２調節部品と同期して移動し、
前記圧力感知アセンブリと前記リフィルの端部との間の圧力値は、前記第１調節部品と前記第２調節部品との相対的な位置調整によって同期して調整されることを特徴とする電磁ペン。
【請求項２】
前記第１調節部品と前記第２調節部品とは、螺合により相対的な位置調整を行うことを特徴とする請求項１に記載の電磁ペン。
【請求項３】
前記第１調節部品の前記リフィルの先端から離れた部位には、雄ねじ構造が設けられており、前記第２調節部品には、前記雄ねじ構造に対応する雌ねじ構造が設けられているか、あるいは前記第1調節部品の前記リフィルの先端から遠く離れた部位には、雄ねじ構造が設けられ、前記第２調節部品には、前記雄ねじ構造に対応する雌ねじ構造が設けられていることを特徴とする請求項２に記載の電磁ペン。
【請求項４】
前記第１調節部品は、収容チャンバーを備え、前記収容チャンバーは、前記リフィルの先端に近い第１収容溝と、前記リフィルの先端から遠い第２収容溝と、前記第１収容溝と第２収容溝とを連通する第１貫通孔と、を有し、
前記リフィルは、前記第１貫通孔に挿通されることを特徴とする請求項１に記載の電磁ペン。
【請求項５】
前記収容チャンバーの前記リフィルの先端寄りの表面には、滑り止め部が設けられていることを特徴とする請求項４に記載の電磁ペン。
【請求項６】
前記収容チャンバーは、前記表面に設けられた位置合わせ線をさらに含むことを特徴とする請求項４に記載の電磁ペン。
【請求項７】
前記第２調節部品は、固定フレームを備え、前記圧力感知アセンブリは、前記固定フレームに固定されていることを特徴とする請求項１に記載の電磁ペン。
【請求項８】
前記圧力感知アセンブリは、圧力感知基板と、前記圧力感知基板の前記リフィルに近い側に当接されるシリコンパッドと、を備えることを特徴とする請求項１に記載の電磁ペン。
【請求項９】
前記第１調節部品と前記第２調節部品の間に設けられたトップロッドをさらに備え、前記トップロッドは、前記第１調節部品に収容されていることを特徴とする請求項１に記載の電磁ペン。
【請求項１０】
前記第１調節部品は、前記トップロッドの一端に近接して設けられた第１スロットを含み、前記トップロッドの両側には、前記第１スロットと係合するための柱状突起が設けられており、
前記トップロッドの前記リフィルに近接する一端には、第２スロットとブラインドホールとが設けられており、
前記トップロッドの前記リフィルから離れた一端は、滑らかな端面となっており、前記リフィルは前記ブラインドホールに挿入されることを特徴とする請求項９に記載の電磁ペン。
【考案の詳細な説明】
【技術分野】
【０００１】
本考案は、コンピュータ周辺機器の技術分野に関し、特に、電磁ペンに関する。
【背景技術】
【０００２】
科学技術の進歩に伴って、デジタル化電子情報機器は、軌跡入力の機能を既に備えており、このような機能の実現には、通常、手書き入力の方式が用いられる。デジタル化電子情報機器である電磁ペンは、広く応用されている。電磁ペンは、手書きで文字を入力できるだけでなく、絵画、ポイント制御操作なども可能である。
【０００３】
関連技術に係る電磁ペンは、従来の工程や実際の生産において、加工誤差があり且つ圧力値が調整できないため、実際にスタイラスペンを使用する場合、筆記者がペンを下ろす度にリフィルを少し押さえて初めて筆の運びがより鋭敏に感じられるか、あるいはスタイラスペンに軌跡を感じさせるためにより大きな力を入れて書く必要がある。これにより、筆記がスムーズにならず、書き心地が悪くなる。
【０００４】
そこで、新たな電磁スタイラスペンを提供して上記の問題を解決する必要がある。
【考案の概要】
【０００５】
従来の電磁ペンは、加工誤差や圧力値が調整できないため、筆記がスムーズにならず、書き心地が悪い。従って、本考案は、圧力値が柔軟に調整でき、且つ手書き体験が良好である電磁ペンを提供する。
【０００６】
本考案に係る電磁ペンは、リフィルと、圧力感知アセンブリと、第１調節部品と、第２調節部品と、を備え、前記リフィルは、前記第１調節部品を貫通し、前記第２調節部品は、前記第１調節部品に対して調整可能であり、前記圧力感知アセンブリは、前記リフィルの端部に近接し且つ前記第２調節部品に固定されて、前記第２調節部品と同期して移動し、前記圧力感知アセンブリと前記リフィルの端部との間の圧力値は、前記第１調節部品と前記第２調節部品との相対的な位置調整によって同期して調整される。
【０００７】
従来技術に比べて、本考案により提供される電磁ペンには、相対的に調整可能な第１調節部品と第２調節部品とが設けられている。これと同時に、リフィルは前記第１調節部品を貫通し、圧力感知アセンブリは前記第２調節部品に固定されている。前記第１調節部品と前記第２調節部品との間のリフィルの延在方向に沿ったネジによって、前記リフィルと前記圧力感知アセンブリとの間の圧力調整を行う。これにより、圧力値の調節が容易になり、生産がより柔軟になる。前記リフィルが力を受ける時に、前記第1調節部品、トップロッド及びシリコンパッドを通じて直ちに力を前記圧力感知基板に伝達する。これにより、電磁ペンの手書き性能は良くなる。前記トップロッドの第２スロットは、リフィルを入れ替える時に変形して位置を提供する。前記柱状突起は、前記トップロッドのぶれを防止するために、第１スロットと係合して、前記電磁ペンの筆記の一貫性を保つ。
【図面の簡単な説明】
【０００８】
【図１】本考案の第１実施形態に係る電磁ペンの全体構成の断面図である。
【図２】図１に示した電磁ペンのＩＩ領域を拡大して示す模式図である。
【図３】図１に示した電磁ペンの構成を示す分解図である。
【図４】図３に示した第１調節部品の立体構造の概略図である。
【図５】図３に示した第１調節部品の断面構造を示す図である。
【図６】図２に示したシリコンパッドの立体構造の概略図である。
【図７】図２に示したトップロッドの構造を示す斜視図である。
【図８】図７に示したトップロッドを別の角度から見た図である。
【図９】本考案の第２実施形態に係る電磁ペンの全体構成を示す断面図である。
【図１０】図９に示した電磁ペンのＸ領域を拡大して示す模式図である。
【図１１】図９に示した電磁ペンの構成を示す分解図である。
【考案を実施するための形態】
【０００９】
以下、本願実施例における図面を参照しながら、本願実施例における技術提案を明確且つ全体的に説明するが、以下の記載はあくまでも本願の一実施例に過ぎず、すべての実施例ではない。本願の実施例に基づき、当業者が創造的な労働なしに得られるすべての他の実施例は、本願の保護範囲に属する。
【００１０】
図１〜図３を併せて参照すると、図１は、本考案の第１実施形態に係る電磁ペンの全体構成の断面図である。図２は、図１に示した電磁ペンのＩＩ領域を拡大して示す模式図である。図３は、図１に示した電磁ペンの構成を示す分解図である。電磁ペン１００は、中空のハウジング１０と、リフィル２０と、前記ハウジング１０内に設けられた電磁誘導装置３０とを含む。前記ハウジング１０は、互いに嵌り合う上殻１１、下殻１２と、前記下殻１２を取り囲むように装着されるシリコンコート１３と、前記下殻１２の表面に設けられるボタン１４と、を備えている。
【００１１】
前記電磁誘導装置３０は、前記リフィル２０を固定し、且つ前記リフィル２０の筆記軌跡を感知するために用いられる。前記電磁誘導装置３０は、磁気コアアセンブリ３１と、第１調節部品３２と、第２調節部品３３と、圧力感知アセンブリ３４と、トップロッド３５と、共振回路板３６と、を備える。前記圧力感知アセンブリ３４は、前記リフィル２０の端部に近接しており、前記リフィル２０は、前記第１調節部品３２を貫通し、前記第２調節部品３３は、前記第１調節部品３２と相対的に調整可能である。
【００１２】
前記磁気コアアセンブリ３１は、磁気コア３１１と、前記磁気コア３１１に巻回されたコイル３１２と、前記磁気コア３１１の前記リフィル２０に近接する一端に挿設されたＯ型リング３１３と、を備える。前記磁気コア３１１は、中空の磁気コアであり、前記磁気コア３１１には、前記リフィル２０が挿通される。前記Ｏ型リング３１３は、シリカゲル材質であり、シリカゲルリングであることが好ましい。前記リフィルは、前記Ｏ型リング３１３と、前記磁気コア３１１とを順に貫通している。前記Ｏ型リング３１３は、前記磁気コア３１１を保護するために使用され、転倒防止や振動防止の役割を果たす。
【００１３】
図４及び図５を併せて参照すると、図４は、図３に示した第１調節部品の立体構造の概略図である。図５は、図３に示した第１調節部品の断面構造を示す図である。本実施形態において、前記第１調節部品３２は、収容チャンバーであり、前記リフィル２０の先端２１に近い第１収容溝３２１と、前記先端２１から遠い第２収容溝３２２と、前記第１収容溝３２１と第２収容溝３２２とを連通する第１貫通孔３２３と、を備えている。前記磁気コアアセンブリ３１は、前記第１収容溝３２１に収容され、前記トップロッド３５は、前記第２収容溝３２２に収容され、前記リフィル２０は、前記第１貫通孔３２３を貫通して前記トップロッド３５の一端に当接する。前記第１調節部品３２と前記第２調節部品３３とは、前記第１調節部品３２と前記第２調節部品３３との相対位置調整に伴って圧力感知アセンブリ３４と前記リフィル２０の端部との間の圧力値が同期して調整されるように、螺合によって相対的な位置調整が実現される。従って、前記第１調節部品３２における前記第２調節部品３３に近接する一端には、雄ねじ構造３２４が設けられ、前記第２調節部品３３には、それに対応する雌ねじ構造が設けられている。これに加えて、前記第１調節部品３２と前記第２調節部品３３とは、他の方法でネジ嵌合を実現することができる。例えば、前記第１調節部品３２におけるリフィル２０の先端２１から離れた部位には、雌ねじ構造が設けられ、前記第２調節部品３３には、対応する雄ねじ構造３２４が設けられる。なお、前記第１調節部品３２は、前記下殻１２に設けられていてもよい。
【００１４】
さらに、前記第１調節部品３２における前記先端２１に近接する表面には、滑り止め部３２５が設けられている。前記第１調節部品３２の前記リフィル２０から遠く離れた一端には、前記トップロッド３５を係合するための第１スロット３２６が設けられている。さらに、前記第１調節部品３２は、外面に設けられた位置合わせ線（図示せず）をさらに含む。前記滑り止め部３２５によって、製造が容易になる。前記位置合わせ線によって、電磁ペン１００に対する圧力調整が容易になる。
【００１５】
前記電磁ペン１００は、前記磁気コアアセンブリ３１と前記第１調節部品３２との間に設けられた収容用シリカゲル３７をさらに備える。前記収容用シリカゲル３７は、前記第１収容溝３２１に収容される。前記収容用シリカゲル３７は、前記リフィル２０を貫通させるための貫通孔を有する。前記リフィル２０は、前記収容用シリカゲル３７と前記第１調節部品３２とを順に通過する。前記収容用シリカゲル３７は、前記磁気コアアセンブリ３１を保護するためのものであり、組み立てを容易にするために前記磁気コアアセンブリ３１に密着されている。
【００１６】
本実施形態では、前記第２調節部品３３は、固定フレームであり、前記圧力感知アセンブリ３４は前記固定フレームに固定されている。前記共振回路板３６は、前記固定フレームに固定されている。第１調節部品３２と第２調節部品３３との係合調整を実現するために、前記第２調節部品３３は、第１調節部品３２の一端側に設けられた雌ねじ構造（図示せず）又は雄ねじ構造３２４を更に備える。前記第２調節部品３３は、前記上殻１１に係着され、前記圧力感知アセンブリ３４は、前記共振回路板３６の前記第１調節部品３２に近い側に固定されている。
【００１７】
前記圧力感知アセンブリ３４は、圧力感知基板３４１とシリコンパッド３４２とを備えている。前記圧力感知基板３４１は前記基板に固設される。前記圧力感知基板３４１は、前記リフィル２０と前記磁気コア３１１と第１調節部品３２と同軸に設けられている。ここで、前記圧力感知基板３４１は、静電容量センサおよび基板を一つの部品に溶接して、組み立てを容易にする。
【００１８】
図６を参照すると、図６はシリコンパッドの立体構造を示す模式図である。シリコンパッド３４２は、前記圧力感知基板３４１の前記リフィル２０に近い側にクランプされる。具体的には、前記シリコンパッド３４２は、ぼかし防止用突起３４２１と、周囲に凹みがある凹陥部３４２２と、中央部に位置し且つ突起する突き当て部３４２３と、を含む。前記シリコンパッド３４２は、筆記感を制御するものであり、前記圧力感知基板３４１と部分的に嵌め合わされ、前記圧力感知基板３４１に対して保護の役割を果たす。
【００１９】
図７及び図８を併せて参照すると、図７はトップロッドの立体構造の模式図であり、図８はトップロッドの別の角度での立体構造模式図である。前記電磁ペン１００は、前記第１調節部品３２と前記第２調節部品３３との間に設けられたトップロッド３５をさらに備える。前記トップロッド３５は、少なくとも前記第１調節部品３２内に部分的に収容される。具体的には、前記トップロッド３５は、前記第２収容溝３２２内に部分的に収容されている。前記トップロッド３５の前記リフィル２０に近接する一端には、第２スロット３５１とブラインドホール３５２とが設けられている。前記トップロッド３５の前記リフィル２０から離れた一端は、滑らかな端面３５３となっており、前記リフィル２０は前記ブラインドホール３５２を通して前記トップロッド３５に当接する。さらに、前記トップロッド３５の両側には、前記第１スロット３２６を係合するための柱状突起３５４が設けられている。前記第２スロット３５１は、前記リフィル２０を挿し替える際に変形して位置を提供して、前記リフィル２０を挿し替える際に適度な力を持つようにする。前記柱状突起３５４は、第１調節部品３２と協働して、トップロッド３５の振れを防止して、前記トップロッド３５と前記圧力感知アセンブリ３４の端面との接触をなるべく一致するように保証し、前記平滑端面３５３は前記シリコンパッド３４２と相互作用する。
【００２０】
図９〜図１１を参照すると、図９は本考案の第２実施形態で示す電磁ペンの全体構成の断面図であり、図１０は図９に示した電磁ペンのＸ領域を拡大して示す図であり、図１１は図９に示した電磁ペンの構成の分解図である。本考案は、電磁ペンの他の実施形態を提供する。第１実施形態に比べて、第２実施形態による電磁ペン１００は、前記第２調節部品３３と前記トップロッド３５との間に設けられたバネ３８をさらに備えるが、他の構成は第１実施形態と同様であるので、ここでは詳しい説明を省略する。具体的には、前記バネ３８は、前記トップロッド３５のシリコンパッド３４２に近接する一端を取り囲むように設けられる。バネ３８を加えることによって、前記トップロッド３５と前記圧力感知アセンブリ３４とが常に突き当てられた状態になり、筆記空白の問題が発生しないようにし、電磁ペン１００の感度が高くなり、ユーザの書き心地を向上させる。
【００２１】
従来技術に比べて、本考案に係る電磁ペン１００は、相対的に調整可能な第１調節部品３２と第２調節部品３３とを設けるとともに、リフィル２０が第１調節部品３２を貫通し、圧力感知アセンブリ３４が第２調節部品３３に固定される。前記第１調節部品３２と前記第２調節部品３３との間のリフィルの延在方向に沿ったネジによって、前記リフィル２０と前記圧力感知アセンブリ３４との間の圧力調整を行う。これにより、圧力値の調節が容易になり、生産がより柔軟になる。前記リフィル２０が力を受ける時に、前記第1調節部品３２、トップロッド３５及びシリコンパッド３４２を通じて直ちに力を前記圧力感知基板３４１に伝達する。これにより、電磁ペンの手書き性能は良くなる。前記トップロッド３５の第２スロット３５１は、リフィル２０を入れ替える時に変形して位置を提供する。前記柱状突起３５４は、前記トップロッド３５のぶれを防止するために、第１スロット３２６と係合して、前記電磁ペン１００の筆記の一貫性を保つ。
【００２２】
本考案の更なる改良として、前記第１調節部品３２と前記第２調節部品３３とは、分離配置に限られるものではない。例えば、前記第２調節部品３３は前記上殻１１に固定され、前記第１調節部品３２は前記下殻１２に固定され、具体的には、前記第２調節部品３３としての固定フレームは前記上殻１１と一体に固定され、前記第１調節部品３２としての収容チャンバーは前記下殻１２と一体に固定されている。
【００２３】
さらに、前記第１調節部品３２は前記下殻１２と一体構造になっており、前記第２調節部品３３は前記上殻１１と一体構造になっている。当業者にとって、前記圧力感知アセンブリ３４と前記リフィル２０との間の圧力値の制御可能な調整を実現することが意図される構造は、すべて本実用新案の創作構想に属する。
【００２４】
以上は、本願の実施例のみであり、本願の実用新案権の範囲を限定するものではなく、本願明細書及び図面を利用して作成された等価な構造又は等価なプロセスを、直接又は間接的に他の関連技術分野に適用して得られたものは、いずれも本願の実用新案登録請求の範囲内に含まれる。
【図１】
0003234469.tif 000003
【図２】
0003234469.tif 000004
【図３】
0003234469.tif 000005
【図４】
0003234469.tif 000006
【図５】
0003234469.tif 000007
【図６】
0003234469.tif 000008
【図７】
0003234469.tif 000009
【図８】
0003234469.tif 000010
【図９】
0003234469.tif 000011
【図１０】
0003234469.tif 000012
【図１１】
0003234469.tif 000013